(57)【要約】【課題】テープ剥離部を形成する為に、折代Ｉを提供して、バラツキのない長さの剥離部を形成出来る様にする事と、切刃Ｃで手指等の怪我防止出来る、テープカッターを提供する。【解決手段】折代Ｉを折返しプレートＡの先端、又は、搖動可能折返しプレートＭ上に定置される為に、テープ本体押えバネＢで、テープ剥がし口Ｐ〜Ｐ’を押えて、テープ本体の空転防止し、引出したテープが、切刃Ｃでカット後、二等辺三角形ＰＱＲ、Ｐ´ＱＲ´の等辺が、ＰＱ＝ＰＲ、Ｐ´Ｑ＝Ｐ´Ｒ´である様にすれば、折代Ｉの尖端部ＲとＲ´が、同じ位置となり、更に、折代Ｉの長さを一定になる様、折返しプレートＡの位置を決める事により、その先端で折返す事で、又は、搖動可能折返しプレートＭ上に、テープ先端押えバネＢ−１により、定置された折代ＩをＭと共に、１８０°下方へ折返して剥離部が形成できる。又、切刃Ｃで手指等の怪我防止の安全カバーＦを設け、安全カバー開閉バネＧにより制御されている。【選択図】図−５
2018177523.tif 000002
【特許請求の範囲】
【請求項１】
テープ本体Ｈのテープが消費されるにつれ、テープ剥がし口が、ＰからＰ’に移動しても、テープ剥がし口Ｐ〜Ｐ’からテープ折代Ｉの先端部Ｒ〜Ｒ’までの距離が同じになる様に、Ｐ〜Ｐ’を頂点とする、二等辺三角形ＰＱＲ、Ｐ’ＱＲ’の等辺として、ＰＱ＝ＰＲ、Ｐ’Ｑ＝Ｐ’Ｒ’となり、折代Ｉの先端部ＲとＲ´が、常に同位置になることを特徴とし、更に、折代Ｉの長さを一定に保つために、折返しプレートＡ及び搖動可能折返しプレートＭの位置を決定する事で、一定の長さの剥離部を形成する様、構成された事を、特徴とするテープカッター。
【請求項２】
テープ本体Ｈが空転防止出来る様に、テープ本体押えバネＢが設けられ、テープ本体Ｈに応力が働く様に、構成されたテープカッター。
【請求項３】
折代Ｉが折返しプレートＡ上に定置される様、テープを引出し、切刃Ｃでカット時に迫り上げられたテープ先端押えバネＢ−１が、カット後その反発力により、折代Ｉが折返しプレートＡの先端部に、定置される様にテープ先端押えバネＢ−１を備えたテープカッター。
【請求項４】
折代Ｉを折返しプレートＡの先端で折曲げることにより、又、搖動可能折返しプレートＭと共に、折曲げて、粘着部同志を係合させ接着し引き出す時、円滑にできる様に、又、粘着部の一部が、指腹に付着する為に、テープ接着兼引出し用隙間Ｎ及び、テープ引出し用隙間Ｎ−１を備えた事を、特徴とするテープカッター。
【請求項５】
折返しプレートＡの先端部に、板バネＯ’やループバネＯで、連結された搖動可能折返しプレートＭを延設する事により、手指で、折代Ｉの上部を押え、搖動可能折返しプレートＭと共に、板バネＯ’やループバネＯを支点として、下方に１８０°回転させることで、折代Ｉの粘着部を係合し、接着させることで、剥離部が形成される様、搖動可能折返しプレートＭを備えた事を、特徴とするテープカッター。
【請求項６】
手指等の怪我防止の為、切刃Ｃを露出しない様、常時安全カバーＦで蓋い、カット時のみテープで迫り上げて開口され、カット後は、安全カバー開閉バネＧにより閉口される様、安全カバーＦを備えた事を、特徴とするテープカッター。
【発明の詳細な説明】
【技術分野】
【０００１】本発明は、折代部分である折返し部を、簡単に折れる様構成されたテープカッターである。
【背景技術】
【０００２】従来、巾狭タイプのテープカッターにおいては、不粘着部を形成するため、テープをループにするのが殆どである。又、クラフトテープ等の巾広タイプにおいては、複雑な構造の物や、折代部分が長すぎて、実用向き出ない。更に、切刃が露出して、手指等が怪我し易い構造となっている。
【先行技術文献】
【０００３】
【特許文献１】特開１９９−３３４９８２号広報
【特許文献２】特開２００２−１４５５１１号広報
【特許文献３】特開２００６−３１２５３１号広報
【０００４】
【発明の概要】
【発明が解決しようとする課題】
【０００５】しかしながら、以上の技術によれば、どれも普及し難い原因は、コスト面と構造上の複雑さであります。そこで、この発明は、折り返しプレートと折代を設ける事でテープ引出し時に、安全な、更に、簡単に折れる方法を提供し剥離部を形成することを課題とする。
【課題を解決するための手段】
【０００６】そこで、本発明が上記課題を解決するための手段として構成したところは、切刃Ｃでカットされたテープ先端部の折代Ｉを折り返しプレートＡの先端部より先に、一定の長さで定置される様に、テープ本体Ｈを空転防止しないように、テープ本体押えバネＢで押え、又、テープ先端押えバネＢ−１を設ける事で、テープ先端部が折り返しプレートＡ上に定置される様構成されている。更に、折代ｉを折り返しプレートＡの先端部で折返したとき、粘着部同志が指で接着し易い様、折り返しプレートＡの先端部に接着兼引出し用隙間Ｎを設ける。又、折り返しプレートＡの表裏に凹凸を設け、更に、折代Ｉを折り返した時、固着させると同時に、テープが引出し易い様に、指腹の一部に粘着部が付着することで、滑ることなく連続的に剥離部を形成することが可能になる。又、折り返しプレートＡの先端部に、ループバネＯ又は板バネＯ’で連結された搖動可能折返しプレートＭを延設することにより、Ｍ上に定置された折代Ｉを搖動可能折返しプレートＭ共々、下方に１８０°反転させて、粘着部を接着することで、剥離部を提供することが可能となる。又、切刃Ｃで手指等を傷付けないように、カットする時のみ開口する安全カバーＦを設けている。
【発明の効果】
【０００７】請求項１に記載の第一発明によれば、折代Ｉが常に一定の長さであるので、バラツキのない剥離部を提供できる。【０００８】請求項２に記載の第二発明によれば、テープ本体押えバネＢで常にテープ本体Ｈを保持して空転防止し、テープ押え接点としてテープ剥がし口Ｐ〜Ｐ’を提供する。【０００９】請求項３に記載の、第三発明によれば、テープ先端押えバネＢ−１により折代Ｉを、折り返しプレートＡの先端及び搖動可能折返しプレートＭ上に定置され、安定した長さの折代Ｉを提供できる。【００１０】請求項４に記載の第四発明によれば、折代Ｉを折返し、剥離部を形成し易くするために、折返しプレートＡの先端部にテープ接着兼引出し用隙間Ｎを設け、又、テープ先端押えバネＢ−１の先端に、テープ引出し用隙間Ｎ−１を設けることにより、折代Ｉを折り返しプレートＡや搖動可能折返しプレートＭを下方に１８０°反転させて、手指で剥離部を形成する空間を提供できる。【００１１】請求項に５に記載の第五発明によれば、搖動可能折返しプレートＭを板バネＯ’やループバネＯを支点として、下方に１８０°反転させることにより、折返しプレートＡの下部に重ねながら指圧により粘着部同志が接着して、剥離部を形成できる。【００１２】請求項６に記載の第六発明によれば、安全カバーＦにより、切刃Ｃがテープカット時以外は常に蓋われて、手指等が傷付かない様構成されている。
【図面の簡単な説明】
【００１３】
【図−１】は、該発明の原理を表わした図である。テープが消費されるとともに、テープ本体押えバネＢの押え部でありテープ剥がし口ＰからＰ’に移動しても、常にＶＰ＝ＶＰ’となる様構成されている。又、テープ先端押えバネＢ−１により、テープカット時にテープによりＰＳからＰＳ’に移動し、切刃ＣによりＱ点でカットされ、折返しプレートＡ上にテープ先端部を定置され、Ｐ（Ｐ’），Ｑ＝Ｐ（Ｐ’），Ｒ（Ｒ’）となりテープ折代Ｉが一定の長さになる様に構成されている。
【００１４】
【図−２】は、本発明の第一実施形態における、折代Ｉを提供し剥離部を形成する巾狭タイプの据置型テープカッターの、テープを着装した状態を示す側面図である。
【００１５】
【図−３】は、本発明の第一実施形態における、折代Ｉを提供し剥離部を形成する、据置型テープカッターのテープを着装した状態をしめす斜視図である。
【００１６】
【図−４】は、本発明の第二実施形態における、折代Ｉを提供し剥離部を形成する、巾狭テープのハンディタイプのテープカッターのテープを着装した状態を示す側面図である。
【００１７】
【図−５】は、本発明の第二実施形態における、折代Ｉを提供し剥離部を形成する、巾狭テープのハンディタイプのテープカッターのテープを着装した状態を示す斜視図である。
【００１８】
【図−６】は、本発明の第二実施形態における、折返しプレートＡとテープ先端押えバネＢ−１を示す図であり、Ｓ−１は、折り返しプレートＡの先端部の断面図であり、Ｓ−２は、折返しプレートＡに、テープ先端押えバネＢ−１にテープの先端部を、定置した状態を示す上面図であり、Ｓ−３は、その側面図である。Ｓ−４は、折返しプレートＡを、バー状態にした先端部の断面図であり、Ｓ−５は、バー状の折返しプレートＡの先端部にテープ先端押えバネＢ−１により、テープ先端部及び折代Ｉを定置された状態を示す上面図であり、Ｓ−６は、その側面図である。
【００１９】
【図−７】は、本発明の第三実施形態における、折返しプレートＡの先端部に、板バネＯ’で連結し、搖動可能折返しプレートＭを延設した状態を示す側面図である。
【００２０】
【図−８】は、本発明の第三実施形態における、搖動可能折返しプレートＭを板バネＯ’やループバネＯで、折返しプレートＡの先端部に連結した状態を示す部分図であり、Ｔ−１は、折返しプレートＡの先端部に、ループバネＯで搖動可能折返しプレートＭを、連結し延設された状態を示す上面図である。Ｔ−２は、フラットバー状態の搖動可能折返しプレートＭを、板バネＯ’で折返しプレートＡの先端部に連結した状態を示す上面図である。Ｔ−３とＴ−４は、それぞれの側面図である。
【００２１】
【図−９】は、本発明の第四実施形態における、クラフトテープ等の巾広タイプの、折代Ｉを提供し剥離部を形成する、ハンディタイプのテープカッターの、テープを着装した状態を示す側面図である
【００２２】
【図−１０】は、本発明の第四実施形態における、テープを着装した状態を示す斜視図である。
【００２３】
【図−１１】は、本発明の第五実施形態における、［図−１０］の斜視図である。
【００２４】
【図−１２】は、本発明の第五実施形態における、折返しプレートＡとテープ先端押えバネＢ−１を示す図であり、Ｕ−１は、折返しプレートＡの先端部の断面図であり、Ｕ−２は、折返しプレートＡの先端部に、テープ先端押えバネＢ−１により、テープ先端部及び折代Ｉを定置された状態を示す上面図であり、Ｕ−５は、その側面図である。Ｕ−３は、折返しプレートＡを、バー状態にした先端部の断面図であり、Ｕ−４は、バー状の折返しプレートＡの先端部に、テープ先端押えバネＢ−１により、テープ先端部及び折代Ｉを定置された状態を示す上面図であり、Ｕ−６は、その側面図である。
【００２５】
【図−１３】は、本発明の第六実施形態における、クラフトテープ等の巾広タイプで、搖動可能折返プレートＭを、板バネＯ’で連結した状態を示し、テープ本体ＨをテープホルダーＪに着装された状態を示す側面図である。
【００２６】
【図−１４】は、本発明の第六実施形態における搖動可能折返しプレートＭを、板バネＯ’やループバネＯで、折返しプレートＡの先端部に連結した状態を示す部分図であり、Ｗ−１は、搖動可能折返しプレートＭの先端を示す断面図であり、Ｗ−２は、折返しプレートＡの先端部に、板バネＯ’で搖動可能折返しプレートＭを連結した状態を示す上面図であり、Ｗ−５は、その側面図である。Ｗ−７は、搖動可能折返しプレートＭを折代Ｉと共に、下方に１８０°反転させた状態を示す側面図である。Ｗ−３，Ｗ−４，Ｗ−６，Ｗ−８については、前者と同じ状態で、板バネをループバネで代替した状態を示すものである。
【発明を実施するための形態】
【００２７】以下、図面に基づいて本発明の実施形態を説明する。
【００２８】〈全体的構成〉
［図−１］は、本発明の第一〜第六実施形態における、共通する原理を表わした図である。テープが消費されるにつれ、テープ本体Ｈとテープ本体押えバネＢとの接点であるテープ剥がし口Ｐ〜Ｐ’と移動しても、常に、テープ剥がし口Ｐからテープ切断部Ｑまでの距離が、ＰＱ＝ＰＲ、Ｐ’Ｑ＝Ｐ’Ｒ’となる様、構成されているので、折り返しプレートＡの先端部の位置を決定することで、折代Ｉを常に一定の長さで提供することができる。以上の条件でテープを引出し、切刃Ｃでカット時にテープ本体押えバネＢで、テープ剥がし口Ｐを押えて、テープ本体Ｈの空転防止し、テープ先端押えバネＢ−１が、ＰＳからＰＳ’に移動し、切刃ＣのＱ点でカットされ、テープ先端押えバネＢ−１の反発力により、折り返しプレートＡ上、ＰＳに戻ることにより、折代Ｉを提供し剥離部を形成することができる。
【００２９】［図−２］は、本発明の第一実施形態であり、巾狭テープ等のテープカッターである。テープ本体ＨをボビンＤ−１に着装し、テープ回転軸Ｄを台座Ｅの軸受けＤ−１にセットして、テープ先端を引出し、切刃Ｃでカット時テープ本体押えバネＢは、テープ本体Ｈの空転防止し、テープ先端押えバネＢ−１は、テープ引出しと共に撥ね上がり、カット後にテープ先端部の折代Ｉを、折返しプレートＡの先端部に定置される様構成されている。
【００３０】［図−３］は、折返しプレートＡの先端に定置された、テープ折代Ｉを手指により、折返しプレートＡの先端部で折り曲げ、粘着部同志が接着し易い様に、テープ接着兼引出し用隙間Ｎを設けると共に、指腹部の一部が粘着部に掛かる様、構成されているので、円滑に引き出すことが出来る。更に、折り返しプレートＡの上下に、テープが固着しない様に、凹凸を設けているので、剥離部を形成後テープが引出し易い構造となっている。
【００３１】［図−４］は、本発明の第二実施形態であり、巾狭タイプのテープを用いた携帯用テープカッターである。テープ本体ＨをテープホルダーＪに着装し、テープホルダーカバーＪ−１で蓋をした後、テープ先端を引出し、切刃Ｃでカット時、片手でテープホルダーＪに延設された、把手カバーＫを握る様構成されている。テープ本体押えバネＢは、常にテープ本体Ｈ側に応力が働き、テープ本体Ｈが空転するのを防止する役目をする。又、テープ先端押えバネＢ−１によって、折代Ｉが折り返しプレートＡの先端部に、設けられる様構成されている。又、手指等の怪我防止の為、切刃Ｃと折り返しプレートＡを離して設けるとともに、安全カバーＦは、安全カバー開閉バネＧにより、カット時テープにより、開口する以外は常時閉口される様構成されている。
【００３２】［図−５］は、［図−４］で説明出来なかった部分を、斜視図で立体的に言及する。折り返しプレートＡの先端部に定置された折代Ｉを、手指により折り曲げ、粘着部同志が接着する時、接着し易い様に、テープ接着兼引出し用隙間Ｎを設け、テープ引出し時に指腹部の一部が、粘着部に掛かるので、引き出しが円滑にできる。又、折り返しプレートＡの上下面に、粘着部が固着しない様、凹凸を設けている。
【００３３】［図−６］は、［図−５］の折返しプレートＡと、折代Ｉ及びテープ先端押えバネＢ−１を示している。Ｓ−１は、テープの粘着部が、固着しない様、折返しプレートＡの先端部の断面の凹凸を示す。Ｓ−２は、テープ先端部が折返しプレートＡ上にテープ先端押えバネＢ−１により定置された上面図であり、Ｓ−３は、その側面図であり、折代Ｉが折返しプレートＡの先端部で折返し可能な状態を示す。同様にＳ−４、Ｓ−５、Ｓ−６は、折返しプレートＡを、フラットバーで代替して構成したことを示す、断面図、上面図、側面図である。
【００３４】［図−７］は、本発明の第三実施形態であり、巾狭テープ等を使用目的とし、折返しプレートＡの先端部に板バネＯ’で搖動可能折返しプレートＭを連結した状態を示す。テープ本体ＨをテープホルダーＪに着装し、テープホルダーカバーＪ−１で蓋をして、テープを切刃Ｃでカット時、テープ本体押えバネＢは、テープ本体Ｈの空転を防止する。又、テープ先端押えバネＢ−１は、テープカット時撥ね上がり、カット後テープ先端部である折代Ｉを、搖動可能折返しプレートＭ上に定着させる役目をする。折代Ｉは、搖動可能折返しプレートＭと共に、手指により板バネＯ’を支点として、１８０°下方へ反転させて、粘着部同志が接着し、剥離部を形成するよう構成されている。
【００３５】［図−８］は、［図−７］の折返しプレートＡ及び搖動可能折返しプレートＭ部を示す図であり、Ｔ−１は、折返しプレートＡと搖動可能折返しプレートＭを、バーで示し、ループバネで連結し、テープ先端部をテープ先端押えバネＢ−１により、搖動可能折返しプレートＭ上に定置した状態を示す。Ｔ−３は、その側面図を示し、Ｔ−５は、ループバネＯを支点として、バー状の搖動可能折返しプレートＭを折代Ｉと共に、下方に１８０°反転させ粘着部同志を指で押える前の状態を示す。Ｔ−２、Ｔ−４、Ｔ−６は、フラットバー状の搖動可能折返しプレートＭを用いて、ループバネＯを板バネＯ’で代替して連結された状態を示す。
【００３６】［図−９］は、第四実施形態であり、クラフトテープ等の巾広タイプのテープを用いた、ハンディタイプのテープカッターを示す。テープ本体Ｈを、テープホルダーＪに着装し、テープを切刃Ｃでカット時、片手で把手カバーＫとテープブレ防止ガイドＫ−１を介してテープ本体Ｈを握ることによって、空転防止でき、又、テープによって、テープ先端押えバネＢ−１を迫り上げて、カット後その反発応力で折返しプレートＡの先端に、折代Ｉを定置した状態を示す。安全カバーＦは、安全カバー開閉バネＧにより切刃Ｃを、テープカット時以外は、常にカバーしているので怪我を防止できる。更に、テープ先端押えバネＢ−１により、テープ先端部である折代Ｉを、折返しプレートＡの先端部に定置する様構成され、折返しプレートの上下面に、テープの粘着部が固着しない様、凹凸を設けている。
【００３７】［図−１０］は、本発明の第四実施形態であり、テープ本体ＨをテープホルダーＪに着装した状態を示す。テープ先端部である折代Ｉを、折返しプレートＡの先端部にて、手指で折返す時、粘着部同志が接着する様、折返しプレートＡの中間部にテープ接着兼引出し用隙間Ｎとテープ引出し用隙間Ｎ−１を設けている。又、折代Ｉを折曲げて引出す時、指腹がテープの粘着部に掛かるので、円滑に剥離部を形成することが出来る。更に、テープが折返しプレートＡに固着しない様、上下面に凹凸部分を設けている。又、手指等の怪我防止の為、安全カバーＦは、テープカット時以外は、安全カバー開閉バネＧにより閉口される様構成されている。
【００３８】［図−１１］は、本発明の第五実施形態であり、クラフトテープ等の巾広タイプの、ハンディタイプのテープカッターである。テープ本体ＨをテープホルダーＪに着装し、テープホルダーカバーＪ−１で蓋をした後、テープを切刃Ｃでカット時は、テープ本体押えバネＢで、常時テープ本体Ｈの空転を防止し、テープでテープ先端押えバネＢ−１を迫り上げ、カットされると同時に、テープ先端押えバネＢ−１の反発応力により、テープ先端部である折代Ｉが折返しプレートＡの先端部に、定置される様構成されている。更に、折代Ｉを折返しプレートＡの先端で折り曲げて、粘着部同志が接着し易くする為に、テープ接着兼引出し用隙間Ｎとテープ引出し用隙間Ｎ−１が設けられており、剥離部の形成が円滑に行われる様構成されている。Ｘは、折返しプレートＡを保護する折返しプレートガード板である。
【００３９】［図−１２］は、［図−１１］の折返しプレートＡ及び折代Ｉとテープ先端押えバネＢ−１を示す。Ｕ−１は、折返しプレートＡの先端部の断面の凹凸を示し、テープの粘着部が固着しない様構成されている。Ｕ−２は、折り返しプレートＡの先端部に、折代Ｉがテープ先端押えバネＢ−１で定置される様構成されている。Ｕ−５は、その側面図であり点線部分は、折代Ｉを折返した状態を示す側面図である。Ｕ−３、Ｕ−４、Ｕ−６は、折返しプレートＡをフラットバーで、代替した事を示す断面図、上面図、側面図である。
【００４０】［図−１３］は、本発明の第六実施形態であり、クラフトテープ等の巾広タイプのテープを用いた、ハンディタイプのテープカッターであり、テープ本体ＨをテープホルダーＪに着装し、テープホルダーカバーＪ−１で蓋をした後、テープ先端を引出し、切刃Ｃでカット時、テープ本体押えバネＢで、テープ本体Ｈの空転防止する様構成されている。テープ先端押えバネＢー１は、テープカット時迫上がり、切刃Ｃでテープカット後、反発力で折代Ｉを搖動可能折返しプレートＭ上に、定置される様構成されている。更に、搖動可能折返しプレートＭ上に定置された折代Ｉを、搖動可能折返しプレートＭと共に、板バネＯ’を支点として、手指で下方へ１８０°回転させ、粘着部同志が接着し、剥離部を形成する様構成されている。又、切刃Ｃで手指等に怪我をしない様、切刃Ｃを安全カバーＦで蓋い、安全カバー開閉バネＧで、カット時以外は閉口される様、構成されている。Ｘは、搖動可能折返しプレートＭを保護する搖動可能折返しプレートガード板である。
【００４１】［図−１４］は、本発明の第六実施形態であり、Ｗ−１、Ｗ−２、Ｗ−５、Ｗ−７は、［図−１３］の折返しプレートＡ及び搖動可能折返しプレートＭ部を示す図であり、Ｗ−１は、搖動可能折返しプレートＭの先端部の断面図で表面に凹凸を設けて、テープの粘着部が固着しない様、構成されている。Ｗ−２は、搖動可能折返しプレートＭを、折返しプレートＡの先端に、板バネＯ’で連結し、その上部にテープ先端押えバネＢ−１で、折代Ｉが定置された状態を示す上面図である。Ｗ−５は、その側面図である。Ｗ−７は、板バネＯ’を支点として、手指で折代Ｉを搖動可能折返しプレートＭと共に、下方に１８０°回転させ、粘着部同志を接着させ、剥離部を形成する状態を示す。Ｗ−３，Ｗ−４，Ｗ−６、Ｗ−８は、板バネＯ’を、ループバネＯで代替した状態を示す同様図である。
【符号の説明】
【００４２】Ａ  折返しプレートＡ
Ｂ  テープ本体押えバネ
Ｂ−１  テープ先端押えバネ
Ｃ  切刃
Ｄ  テープ回転軸
Ｄ−１  ボビン
Ｅ  台座
Ｆ  安全カバー
Ｇ  安全カバー開閉バネ
Ｈ  テープ本体
Ｉ  折代
Ｊ  テープホルダー
Ｊ−１  テープホルダーカバー
Ｋ  把手カバー
Ｋ−１  テープブレ防止ガイド
Ｍ  搖動可能折返しプレート
Ｎ  テープ接着兼引出し用隙間
Ｎ−１  テープ引出し用隙間
Ｐ〜Ｐ’  テープ剥がし口
Ｑ  テープ切断部
Ｒ〜Ｒ´  テープ折代先端部
Ｖ  テープ本体押えバネ支点
Ｏ  ループバネ
Ｏ´  板バネ
Ｓ〜Ｓ´  テープ先端押えバネ先端部
Ｘ  折返しプレートガード板
Ｘ´  搖動可能折返しプレートガード板
【図−１】
2018177523.tif 000003
【図−２】
2018177523.tif 000004
【図−３】
2018177523.tif 000005
【図−４】
2018177523.tif 000006
【図−５】
2018177523.tif 000007
【図−６】
2018177523.tif 000008
【図−７】
2018177523.tif 000009
【図−８】
2018177523.tif 000010
【図−９】
2018177523.tif 000011
【図−１０】
2018177523.tif 000012
【図−１１】
2018177523.tif 000013
【図−１２】
2018177523.tif 000014
【図−１３】
2018177523.tif 000015
【図−１４】
2018177523.tif 000016